(57)【特許請求の範囲】
【請求項１】
照射方向が変更可能な第１の発光手段及び第２の発光手段を有し、前記第１の発光手段及び前記第２の発光手段のいずれか一方を発光させて光通信を行う閃光装置であって、
前記第１の発光手段を被写体に向け前記第２の発光手段を前記被写体とは異なる方向に向けて撮影を行う場合、前記第２の発光手段を発光させて光通信を行うことを特徴とする閃光装置。
【発明の詳細な説明】
【０００１】
【発明の属する技術分野】
本発明は、複数放電管を有する閃光装置において、放電管の発光、非発光で光パルスを作り他（スレーブ）の閃光装置との光通信を行う閃光装置に関するものである。
【０００２】
【従来の技術】
従来、放電管を用いて光通信を行う閃光装置としては、特開2000-078089号公報に記載されている様に、一つの放電管を発光させて通信光とするものが提案されている。
【０００３】
このような閃光装置は、例えば複数の閃光装置を１群とし、その中の一つの閃光装置を主閃光装置とし、他の閃光装置を該主閃光装置との光通信により発光制御が行われるスレーブ閃光装置として使用し、例えばこれら複数の閃光装置を用いて撮影を行うようにしている。
【０００４】
このような閃光装置において、放電管を複数設けることが提案されている。
【０００５】
【発明が解決しようとする課題】
しかしながら、放電管が複数になり、その内の放電管を複数個、又は全て光らせて光通信を行う場合、１つの閃光装置に設けられた各放電管、例えば図７の（ａ）に示すＡ放電管と、（ｂ）に示すＢ放電管における発光の「立ち上がり」のばらつき、「発光量」のばらつき等があるので、複数の放電管で光パルスを同時に発光させると、図７の（ｃ）に示すように、Ａ放電管とＢ放電管の光パルスが合成され発光時間の長い光パルスとなってしまう。
【０００６】
このため通信速度を高速にできないという問題が発生する。
【０００７】
また、いずれかの放電管とスレーブストロボとの間に障害物が存在すると、光通信の妨げとなるおそれがある。
【０００８】
本出願に係る発明の目的は、高速の光通信を実現させる複数の放電管を有する閃光装置を提供しようとするものである。
【０００９】
本出願に係る発明の他の目的は、被写体によりスレーブ閃光装置への光通信パルスが妨害され、光通信の到達距離が短くなることを防止する複数の放電管を有する閃光装置を提供しようとするものである。
【００１０】
【課題を解決するための手段】
本願発明に係る閃光装置は、照射方向が変更可能な第１の発光手段及び第２の発光手段を有し、前記第１の発光手段及び前記第２の発光手段のいずれか一方を発光させて光通信を行う閃光装置であって、前記第１の発光手段を被写体に向け前記第２の発光手段を前記被写体とは異なる方向に向けて撮影を行う場合、前記第２の発光手段を発光させて光通信を行うことを特徴とする。
【００１８】
【発明の実施の形態】
（第１の実施の形態）
図1、図２および図３、図９は本発明の第１の実施の形態を示す。
【００１９】
本実施の形態の閃光装置は、例えば図９の（ａ）に示すように、主閃光装置Ｍを半円形状の２つの放電管ＡとＢを合わせてリング形状としたタイプ、あるいは図９の（ｂ）に示すように、２つの放電管Ａ、Ｂを夫々備えた投光部が独立して投光の向きを変更可能としたタイプのものとすることができる。
【００２０】
そして、図９の（ａ）のように、カメラの設置位置等の条件により、主閃光装置Ｍの第２放電管Ｂの前面に被写体Ｄが存在し、スレーブ閃光装置（ストロボ）Ｃによりこの被写体Ｄを照明する場合、主閃光装置Ｍの第２放電管Ｂとスレーブ閃光装置Ｃとの間の光通信においてはこの被写体Ｄは障害物となるが、第１放電管Ａを使用することにより、スレーブ閃光装置（ストロボ）Ｃに対して光通信を可能とすると共に、フラット発光または閃光発光による撮影を可能とする。この場合、選択された第１放電管Ａで光通信と撮影のための照明が実行される。
【００２１】
なお、２つの放電管を例にしているが、３つまたはそれ以上の放電管を用いてもよく、例えば撮影のために発光が許可されている第１放電管Ａを２つ有する場合、この２つの第１放電管Ａのうちのいずれか一方で光通信を行うようにすることもできる。
【００２２】
また、図９の（ｂ）のように、主閃光装置Ｍの第１放電管Ａを被写体Ｄに向け、第２放電管Ｂを被写体Ｄとは異なる向きに配置された被写体Ｄを照明するスレーブ閃光装置Ｃに合わせることで、被写体Ｄとスレーブ閃光装置との位置関係に拘束されることのない撮影とスレーブ閃光装置との光通信が可能となる。この場合、選択された第１放電管Ａで撮影のための照明が実行され、選択されていない第２放電管Ｂで光通信が実行される。
【００２３】
さらに、第１放電管Ａと第２放電管Ｂとを照明と通信に使用するか否かの選択は、使用者が手動により設定できるようになっている。なお、これらの放電管は３以上であってもよく、任意の一つの放電管を選択して光通信を行わせても良い。
【００２４】
図１は閃光装置の電気回路ブロック図を示し、同図において、１は電源である電池、２は昇圧手段で、電池電圧を数百Ｖに昇圧する。３は主コンデンサであり昇圧手段２の出力を充電する。４、５は主コンデンサの電圧を制御回路としのマイクロコンピュータ（以下マイコン）38がモニタするために設けられた分圧抵抗である。
【００２５】
閃光装置のマイコン38は、分圧された電圧を内蔵のＡ／Ｄ変換器によりＡ／Ｄ変換することにより、主コンデンサ３の充電電圧を間接的にモニタして昇圧手段２の動作を制御することにより、主コンデンサ３の充電電圧を所定の電圧に制御する。
【００２６】
８Ａ、８Ｂは発光電流を制限する為のコイル、９Ａ，９Ｂは発光停止時に電流制限コイル８Ａ、８Ｂに蓄積されたエネルギーを還流する為のダイオード、１０Ａ、１０Ｂは発光手段である放電管、１１Ａ，１１Ｂは発光開始時に第１放電管１０Ａ，１０Ｂに数千Ｖの高圧を発生させるためのトリガ手段、6AはＡＮＤゲートで、入力はマイコン３８のTRIG端子とSEL_A端子に接続され、出力はトリガ手段１１Ａと接続され、6ＢはＡＮＤゲートで、入力はマイコン３８のTRIG端子とSEL_B端子に接続され、出力はトリガ手段１１Ｂと接続される。
【００２７】
１２Ａ，１２Ｂは放電管１０Ａ，１０Ｂの発光電流を制御し、放電管の発光開始・停止を制御する為の第１のスイッチング手段である発光制御回路で、ＩＧＢＴなどのスイッチング素子で構成される。
【００２８】
３０Ａ，３０Ｂはデータセレクタで、ＥＮ端子はそれぞれマイコン３８のSEL_A、SEL_B端子と接続され、EN端子がHの時は、Ｘ０，Ｘ１端子に入力される信号に基づいて、Ｄ０〜Ｄ２の入力を選択してＹ端子に出力する。
【００２９】
また、データセレクタ３０Ａ，３０ＢのEN端子がLの時は、D0〜D２端子の入力状態に係らず出力端子YはＬを出力する。
【００３０】
データセレクタ３０Aの出力Ｙは、マイコン３８の入力端子IN_Aとスイッチング手段１２Ａに接続され、データセレクタ３０Ｂの出力Ｙはマイコン３８の入力端子IN_Bとスイッチング手段１２Ｂに接続される。
【００３１】
３３Ａ、３５Ａは第１放電管１０Ａの光を受光するセンサであるところの受光素子、３３Ｂ、３５Ｂは第２放電管１０Ｂの光を受光するセンサであるところの受光素子である。３４Ａ、３４Ｂ、３６Ａ、３６Ｂは受光素子の信号の処理および増幅を行う受光回路、３７Ａ、３７Ｂは受光回路３６Ａ、３６Ｂの出力を積分する積分回路、３１Ａ，３１Ｂ，３２Ａ，３２Ｂはコンパレータである。３８は閃光装置全体の動作を制御するマイコン、３９は不図示のカメラとの接続端子であり、ＣＬＫ，ＤＩ，ＤＯ端子を用いて公知のシリアル通信を行う。
【００３２】
次にマイコン３８の各端子の説明を行う。
【００３３】
ＣＬＫ，ＤＩ，ＤＯは前述したように、不図示のカメラと公知のシリアル通信を行う為の通信端子であり、ＣＬＫにはカメラからの同期クロック信号が入力され、該クロック信号に同期してＤＩ端子にカメラからのシリアルデータが出力され、同時にＤＯ端子からは、閃光装置からシリアルデータが出力される。ＣＨＧ端子は閃光装置の発光可能情報を電流情報としてカメラに通信するための端子であり、Ｘはカメラからの発光開始信号が入力される端子である。
【００３４】
ＩＮＴ＿Ａ、ＩＮＴ＿Ｂは積分回路３７Ａ，３７Ｂの積分開始、停止を制御する制御出力であり、Ｌで積分開始、Ｈで積分停止とする。ＤＡ＿Ａ、ＤＡ＿Ｂはディジタル・アナログ変換出力端子であり、マイコン３８の内部ディジタルデータをアナログ信号である電圧に変換し、コンパレータ３１Ａ，３１Ｂ，３２Ａ，３２Ｂの為のコンパレート電圧を出力する。ＡＤ＿Ａ，ＡＤ＿Ｂは積分回路３７Ａ，３７Ｂの出力電圧を読み込み、マイコン内部で処理する為のディジタルデータに変換するためのアナログ・ディジタル変換の為の端子である。
【００３５】
SEL_A端子は第１放電管１０Ａを発光させる場合にＨ、発光させない場合はＬを出力し、SEL_B端子は第２放電管１０Ｂを発光させる場合にＨ、発光させない場合はＬを出力する。
【００３６】
ＴＲＩＧはSEL_A、SEL_B端子とのANDでトリガ手段１１Ａ、１１Ｂへの発光開始信号を出力する端子、IN_A、IN_B端子はデータセレクタ３０Ａ、３０Ｂの出力端子Ｙの状態をマイコン３８が検出する端子、ＡＤＩは前述のように主コンデンサ３の高電圧を抵抗４、５で分圧した電圧を入力して、マイコン３８内部で処理する為のディジタルデータに変換するアナログ・ディジタル変換入力端子、ＣＮＴは昇圧手段の発振・停止を制御する為の制御出力端子であり、前述ＡＤＩでモニタした主コンデンサ３の充電電圧や閃光装置の動作状況に応じ昇圧手段２の動作を制御する。
【００３７】
（発光時の処理）
カメラからの発光指示による閃光装置の発光処理を図３のフローチャートに沿って説明する。
【００３８】
カメラからの発光指示で閃光装置は発光処理をスタートする（Ｓ２０１）。
【００３９】
Ｓ２０２において、光通信を行うかを判別し、光通信を行う場合はＳ２０３へ進み、行わない場合はＳ２０４に進む。Ｓ２０３では光通信の発光処理を行い、Ｓ２０４に進む。
【００４０】
Ｓ２０４では、カメラからの指示が放電管のオン、オフを高速で繰り返すフラット発光か、閃光発光かを判別し、フラット発光の場合はＳ２０５に進み、閃光発光の場合はＳ２０６に進む。
【００４１】
Ｓ２０５ではフラット発光処理を行い、フラット発光処理の終了後にＳ２０７に進む。
【００４２】
Ｓ２０６では閃光発光処理を行い、閃光発光処理の終了後にＳ２０７に進む。
【００４３】
Ｓ２０７で発光処理ルーチンを終了する。
【００４４】
（フラット発光処理）
次にフラット発光時の動作を説明する。
フラット発光時はフラット発光強度に応じて、マイコン３８のＤＡ＿Ａ、ＤＡ＿Ｂ端子に所定の制御電圧を発生させると共に、第１放電管１０Ａを発光させる場合はSEL_A端子をH、第２放電管１０Ｂを発光させる場合はSEL_BをHにし、Ｘ０，Ｘ１端子にＬ，Ｈを出力することにより、データセレクタ３０Ａ，３０ＢはＤ２入力が選択される。この時、放電管は未発光状態であるので、放電管を直接モニタしているセンサ３３Ａ，３３Ｂには光電流はほとんど流れず、コンパレータ３１Ａ，３１Ｂの出力はＨであり、データセレクタ３０Ａ，３０Ｂを通して制御回路１２Ａ、１２ＢのＩＧＢＴは導通状態となる。なお、SEL_A又はSEL_BがLであれば、EN端子がLとなったデータセレクタのＹ出力はＬのままで、制御回路１２Ａ、１２ＢのIGBTは非導通状態である。
【００４５】
同時にマイコン３８のＴＲＩＧ端子を所定時間Ｈに設定することにより、SEL_AがHならトリガ手段１１Ａから、SEL_BがHならトリガ手段１１Ｂから高圧が発生し、トリガ手段から高圧を受けた放電管１０Ａ，１０Ｂは発光を開始する。
【００４６】
同時に放電管１０Ａ、１０Ｂをモニタしているセンサ３３Ａ、３３Ｂは、放電管１０Ａ、１０Ｂの発生光に応じて光電流が流れ、受光回路３４Ａ，３４Ｂの出力電圧がＤＡ＿Ａ、ＤＡ＿Ｂに出力された制御電圧より高くなると、コンパレータ３１Ａ、３１Ｂの出力はＬレベルに反転し、発光制御回路１２Ａ、１２ＢのＩＧＢＴは遮断状態となり、コイル８Ａ、８Ｂに蓄積されたエネルギーは放電管１０Ａ、１０Ｂからダイオード９Ａ、９Ｂを通して環流され、放電管１０Ａ、１０Ｂを流れる電流は次第に減少する。同時に発光量も減少し、所定光量以下になり受信回路３４Ａ、３４Ｂの出力がＤＡ＿Ａ、ＤＡ＿Ｂで設定した値より低くなると、コンパレータ３１Ａ、３１Ｂは再び反転しＨレベルになり、発光制御回路１２Ａ、１2ＢのＩＧＢＴは再び導通状態となり、放電管１０Ａ、１０Ｂの発生光は増加する。
【００４７】
以上のプロセスを繰り返し、フラット発光は略一定の発光強度に維持される。そして、所定時間が経過すると、マイコン３８はＸ０，Ｘ１端子を共にＬと設定し、発光制御回路１２Ａ、１２ＢのＩＧＢＴは強制的に遮断され、発光は停止する。
【００４８】
（閃光発光処理）
次に閃光発光時の動作を説明する。
【００４９】
閃光発光時は、所望の発光量に応じて、マイコン３８のＤＡ＿Ａ、ＤＡ＿Ｂ端子に所定の制御電圧を発生させるとともに、第１放電管１０Ａを発光させる場合はSEL_A端子をH、第２放電管１０Ｂを発光させる場合はSEL_BをHにし、Ｘ０，Ｘ１端子にそれぞれＨ、Ｌを出力する事により、データセレクタ３０Ａ、３０ＢはＤ１入力が選択される。この時放電管１０Ａ、１０Ｂは未発光状態なので、放電管を直接モニタしているセンサ３５Ａ、３５Ｂには光電流はほとんど流れず、また積分回路３７Ａ、３７Ｂは積分を禁止しているので、コンパレータ３２Ａ、３２Ｂの出力はＨであり、データセレクタ３０Ａ、３０Ｂを通して発光制御回路１２のＩＧＢＴは導通状態となる。なお、SEL_A又はSEL_BがLであれば、EN端子がLとなったデータセレクタのＹ出力はＬのままでIGBTは非導通状態である。
【００５０】
同時にマイコン３８のＴＲＩＧ端子を所定時間Ｈに設定することにより、SEL_AがHならトリガ手段１１Ａから、SEL_BがHならトリガ手段１１Ｂから高圧が発生し、トリガ手段から高圧を受けた放電管１０Ａ、１０Ｂは発光を開始する。
【００５１】
発光開始から所定時間後、マイコン３８のＩＮＴ端子をＬに設定し、積分回路３７Ａ、３７Ｂは積分を開始する。なお、トリガ発生と積分開始のタイミングをずらすのは、放電管の発光はトリガ発生から幾分遅れる為であることに加え、トリガにより発生するノイズを積分回路３７Ａ、３７Ｂが誤積分することを防ぐためである。
【００５２】
積分量がＤＡ＿Ａ、ＤＡ＿Ｂで設定した所定の制御電圧より高くなると、コンパレータ３２Ａ、３２Ｂの出力はＬレベルに反転し、発光制御回路１２Ａ，１２ＢのＩＧＢＴは遮断状態となり、コイル８A、８Ｂに蓄積されたエネルギーはフライバックダイオード９Ａ、９Ｂを通して環流され、放電管に流れる電流は急速に減少し、発光は停止する。
【００５３】
（光通信発光処理）
次に光通信発光時の動作を図２のフローチャートに沿って説明する。
【００５４】
Ｓ１０１でスタートする。
【００５５】
Ｓ１０２において第１放電管１０Ａで光通信を行う為にマイコン３８のSEL_A端子をH、SEL_B端子をLに設定する。すなわち、不図示の選択手段により第１放電管１０Ａによる発光許可を与えたことになり、例えば図９の（ａ）に示すような撮影条件で使用される。
【００５６】
Ｓ１０３にて光通信の光パルスの発光強度に応じて、マイコン３８のＤＡ＿Ａ端子に所定の制御電圧を発生させる。
【００５７】
Ｓ１０４において、スタートパルスの１ビットの発光処理を行う。
【００５８】
Ｓ１０５において、データの間隔のタイマをスタートする。
【００５９】
Ｓ１０６でタイマが所定時間になるかを判定し、所定時間となればＳ１０７に進む。Ｓ１０７においてはタイマを再度スタートする。Ｓ１０８においては送信データが１ならＳ１０９に進み、データが０ならＳ１１０に進む。Ｓ１０９では１ビットの発光処理を行いＳ１１０に進む。Ｓ１１０ではデータの８ビット分の送信が終了したかを判断し、終了していればＳ１１１に進み、終了していなければＳ１０６に進む。
【００６０】
Ｓ１１１で、光通信の処理を終了する。
【００６１】
（１ビットの発光処理）
第１放電管１０Ａで光通信を行う場合（SEL_A=H、SEL_B=L）
データセレクタ３０ＡのEN入力がH、Ｘ０，Ｘ１端子にＬ，Ｈを出力することによりＤ２入力が選択される。この時放電管は未発光状態であるので、放電管を直接モニタしているセンサ３３Ａには光電流はほとんど流れず、コンパレータ３１Ａの出力はＨであり、データセレクタ３０Ａを通して制御回路１２ＡのＩＧＢＴは導通状態となる。
【００６２】
同時にマイコン３８のＴＲＩＧ端子を所定時間Ｈに設定することによりSEL_AがHなので、トリガ手段１１Ａから高圧が発生し、トリガ手段１１Aから高圧を受けた第１放電管１０Ａは発光を開始する。
【００６３】
同時に第１放電管１０Ａをモニタしているセンサ３３Ａは、第１放電管１０Ａの発生光に応じて光電流が流れ、受光回路３４Ａの出力電圧がＤＡ＿Ａに出力された制御電圧より高くなると、コンパレータ３１Ａの出力はＬレベルに反転し、発光制御回路１２ＡのＩＧＢＴは遮断状態となり、第１放電管１０Ａを流れる電流は次第に減少する。マイコン３８のＩＮ_AがＬになるとマイコン３８はX0端子をＬ、X1端子をＬとしセレクタ３０Ａの出力をＬに固定する。これにより発光が停止して光通信の１ビット発光の動作を終了する。
【００６４】
（第２の実施の形態）
図４及び図８は本発明の第２の実施の形態を示す。なお、本実施の形態の閃光装置の電気回路を示すブロック図は図１と同様なので、その図示及び説明を省略する。
【００６５】
図８は本実施の形態の発光処理を示すフローチャートで、図８のＳ７０１〜７０３は第１の実施の形態を示す図３のＳ２０１〜２０３と同じ動作であり、Ｓ７０４で不図示の設定手段により撮影時に第１放電管１０Ａが発光許可をされているかを判断し、第１放電管１０Ａが発光許可されていればＳ７０５に進み、第１放電管１０Ａが発光許可されていなければ（第２放電管１０Ｂが発光許可されていれば）Ｓ７０６に進む。
【００６６】
Ｓ７０５において、第１放電管１０Ａで光通信を行う為にマイコン３８のSEL_A端子をH、SEL_B端子をLに設定する。
【００６７】
Ｓ７０６において、第２放電管１０Ｂで光通信を行う為にマイコン３８のSEL_A端子をL、SEL_B端子をHに設定する。Ｓ７０７〜Ｓ７１０の動作は、第１の実施の形態を示す図３のＳ２０４〜２０７と同じ動作である。
【００６８】
すなわち、図９の（ａ）に示すように、第１放電管１０Ａで光通信と被写体の照明を行う場合には、Ｓ７０５で第１放電管１０Ａの発光許可を行い、また図９の（ｂ）に示すように、第２放電管１０Ｂで光通信を行う場合には、Ｓ７０６で第２放電管１０Ｂの発光許可を行う。
【００６９】
次に光通信発光処理を図４のフローチャートにそって説明する。
【００７０】
Ｓ３０１でスタート。
【００７１】
Ｓ３０２において、不図示の設定手段により撮影時に第１放電管１０Ａが発光許可をされているかを判断し、第１放電管１０Ａが発光許可されていればＳ３０３に進み、第１放電管１０Ａが発光許可されていなければ（第２放電管１０Ｂが発光許可されていれば）Ｓ３０４に進む。
Ｓ３０３において、第１放電管１０Ａで光通信を行う為にマイコン３８のSEL_A端子をH、SEL_B端子をLに設定する。Ｓ３０４においては第２放電管１０Ｂで光通信を行う為にマイコン３８のSEL_A端子をL、SEL_B端子をHに設定する。
【００７２】
Ｓ３０５において、光通信の光パルスの発光強度に応じて、マイコン３８のＤＡ＿Ａ端子、ＤＡ＿Ｂ端子に所定の制御電圧を発生させる。
【００７３】
Ｓ３０６において、スタートパルスとして１ビットの発光処理を行う。
【００７４】
Ｓ３０７において、データの間隔のタイマをスタートする。
【００７５】
Ｓ３０８でタイマが所定時間になるかを判定し、所定時間となればＳ３０９に進む。
【００７６】
Ｓ３０９において、タイマを再度スタートする。
【００７７】
Ｓ３１０において、送信データが１ならＳ３１１に進み、データが０ならＳ３１２に進む。
【００７８】
Ｓ３１１において、１ビットの発光処理を行いＳ３１２に進む。
【００７９】
Ｓ３１２において、データの８ビット分の送信が終了したかを判断し、終了していればＳ３１３に進み、終了していなければＳ３０８に進む。
【００８０】
Ｓ３１３において、光通信の処理を終了する。
【００８１】
（１ビットの発光処理）
第１放電管１０Ａの発光許可があるときは第１の実施の形態と同じ動作である。
第１放電管１０Ａの発光許可がないとき（第２放電管１０Ｂのみ発光許可があるとき）は第２放電管１０Ｂで光通信を行う（SEL_A=Ｌ、SEL_B=Ｈ）。
【００８２】
データセレクタ３０ＢのEN入力がH、Ｘ０，Ｘ１端子にＬ，Ｈを出力することによりＤ２入力が選択される。この時放電管は未発光状態であるので、放電管を直接モニタしているセンサ３３Ｂには光電流はほとんど流れず、コンパレータ３１Ｂの出力はＨであり、データセレクタ３０Ｂを通して制御回路１２ＢのＩＧＢＴは導通状態となる。
【００８３】
同時にマイコン３８のＴＲＩＧ端子を所定時間Ｈに設定することによりSEL_BがHなので、トリガ手段１１Ｂから高圧が発生し、トリガ手段１１Ｂから高圧を受けた第２放電管１０Ｂは発光を開始する。同時に第２放電管１０Ｂをモニタしているセンサ３３Ｂは、第２放電管１０Ｂの発生光に応じて光電流が流れ、受光回路３４Ｂの出力電圧がＤＡ＿Ｂに出力された制御電圧より高くなると、コンパレータ３１Ｂの出力はＬレベルに反転し、発光制御回路１２ＢのＩＧＢＴは遮断状態となり、第２放電管１０Ｂを流れる電流は次第に減少する。
【００８４】
マイコン３８のＩＮ_ＢがＬになるとマイコン３８はX0端子をＬ、X1端子をＬとしセレクタ３０Ｂの出力をＬに固定する。これにより発光が停止して光通信の１ビット発光の動作を終了する。
【００８５】
このように、本実施の形態では、発光許可されている放電管により撮影時の発光及び光通信が行われる。
【００８６】
（第３の実施の形態）
図５は本発明の第３の実施の形態を示す。なお、本実施の形態の閃光装置の電気回路を示すブロック図は図１と同様なので、その図示及び説明を省略する。また、発光処理の動作は光通信発光処理以外は第２の実施の形態と同じである。
【００８７】
光通信処理を図５のフローチャートに沿って第２の実施の形態との差異を説明する。
【００８８】
第２の実施の形態との差異は、Ｓ４０２において、不図示の設定手段により撮影時に第１放電管１０Ａが発光許可をされているかを判断し、第１放電管１０Ａが発光許可されていればＳ４０４に進み、第２放電管１０Ｂで光通信発光を行う設定をし、第１放電管１０Ａが発光許可されていなければ（第２放電管１０Ｂが発光許可されていれば）、Ｓ４０３に進んで第１放電管１０Ａで光通信発光を行う設定を行う。すなわち、図９の（ｂ）に示すように、一方の放電管で被写体の照明を行い、他方の放電管で通信を行うことになる（発光許可されている放電管で撮影時の発光を行い、他方の放電管で光通信を行う）。
【００８９】
Ｓ４０３において、第１放電管１０Ａで光通信を行う為にマイコン３８のSEL_A端子をH、SEL_B端子をLに設定する。
【００９０】
Ｓ４０４において、第２放電管１０Ｂで光通信を行う為にマイコン３８のSEL_A端子をL、SEL_B端子をHに設定する。以降の処理は第２の実施の形態と同じである。
【００９１】
（第４の実施の形態）
図６は本発明の第４の実施の形態を示す。なお、本実施の形態の閃光装置の電気回路を示すブロック図は図１と同様なので、その図示及び説明を省略する。また、発光処理の動作は光通信発光処理以外は第２の実施の形態と同じである。
【００９２】
光通信処理を図６のフローチャートに沿って第２の実施の形態との差異を説明する。
【００９３】
第２の実施の形態との差異は、Ｓ５０２において、不図示の入力手段により設定された光通信発光をどの放電管で行うかを判断し、第１放電管１０Ａで光通信発光を行うことが許可されていればＳ５０３に進み、第１放電管１０Ａで光通信発光を行うことが許可されていなければ（第２放電管１０Ｂで光通信発光をする事を許可されていれば）Ｓ５０４に進む。
【００９４】
Ｓ５０３において、第１放電管１０Ａで光通信を行う為にマイコン３８のSEL_A端子をH、SEL_B端子をLに設定する。
【００９５】
Ｓ５０４において、第２放電管１０Ｂで光通信を行う為にマイコン３８のSEL_A端子をL、SEL_B端子をHに設定する。以降の処理は第２の実施の形態と同じである。
【００９６】
【発明の効果】
本願発明によれば、１つの放電管を発光および非発光させて光通信を行うことにより、光通信を高速にすることができる。
【０１００】
被写体によりスレーブ閃光装置への光通信パルスが妨害され、光通信の到達距離が短くなることを軽減することができる。
【図面の簡単な説明】
【図１】本発明の第１の実施の形態による閃光装置の電気回路ブロック図。
【図２】図１の閃光装置における光通信発光時の動作を示すフローチャート。
【図３】図１の閃光装置における発光時の動作を示すフローチャート。
【図４】本発明の第２の実施の形態における光通信発光時の動作を示すフローチャート。
【図５】本発明の第３の実施の形態における光通信発光時の動作を示すフローチャート。
【図６】本発明の第４の実施の形態における光通信発光時の動作を示すフローチャート。
【図７】複数放電管による光通信を行った場合の発光波形を示す波形図。
【図８】本発明の第２の実施の形態における発光時の動作を示すフローチャート。
【図９】本発明による実施の形態の閃光装置の使用状態を示す図。
【符号の説明】
１：電源電池
２：昇圧手段
３：主コンデンサ
４，５：分圧抵抗
６Ａ，６Ｂ：ＡＮＤゲート
８Ａ、８Ｂ：コイル
９Ａ，９Ｂ：ダイオード
１０Ａ，１０Ｂ：放電管
１１Ａ，１１Ｂ：トリガ手段
１２Ａ，１２Ｂ：発光制御回路
３０Ａ，３０Ｂ：データセレクタ
３１Ａ，３１Ｂ，３２Ａ，３２Ｂ：コンパレータ
３３Ａ、３５Ａ、３３Ｂ、３５Ｂ：受光素子
３４Ａ、３４Ｂ、３６Ａ、３６Ｂ：受光回路
３７Ａ、３７Ｂ：積分回路
３８：マイコン
３９：接続端子
【図１】
0004587415.tif 000002
【図２】
0004587415.tif 000003
【図３】
0004587415.tif 000004
【図４】
0004587415.tif 000005
【図５】
0004587415.tif 000006
【図６】
0004587415.tif 000007
【図７】
0004587415.tif 000008
【図８】
0004587415.tif 000009
【図９】
0004587415.tif 000010